(57)【要約】      （修正有）【課題】時間的にずれた同一の放送番組を高精度で検出する受信機の提供。【解決手段】異なる放送電波を受信して検波信号と音声信号を出力するチューナ部と検波信号の無音化状態を検出する無音化状態検出部と無音化状態検出部が無音化状態を検出し終えた時点から所定期間に音声信号の特徴を検出する特徴検出部と無音化状態検出部が無音化状態を検出し終えた時点から所定期間に音声信号の特徴を検出する特徴検出部と特徴検出部から出力される特徴検出信号の同一性を判断し、同一性があると判断するとチューナ部の受信中の放送番組を同一であると識別する識別部とチューナ部の何れか一方を主チューナ部として受信させ、受信感度が低下すると、他方のチューナ手段の受信チャンネルを可変制御してチューナ部を同時に受信させ、識別部が放送番組を同一であると識別すると他方のチューナ部を主チューナ部に切替えて同一の放送番組の受信を継続させる制御部を備えた構成。【選択図】図１
2005184204.tif 000002
【特許請求の範囲】
【請求項１】
異なる放送電波によって送られてくる放送番組の同一性を識別する受信機であって、
前記放送電波を受信し、少なくとも検波信号と音声信号を出力する第１のチューナ手段及び第２のチューナ手段と、
前記第１のチューナ手段から出力される検波信号の無音化状態を検出する第１の無音化状態検出手段と、
前記第２のチューナ手段から出力される検波信号の無音化状態を検出する第２の無音化状態検出手段と、
前記第１の無音化状態検出手段が無音化状態を検出し終えた時点から、前記第１のチューナ手段の出力する音声信号の特徴を検出する第１の特徴検出手段と、
前記第２の無音化状態検出手段が無音化状態を検出し終えた時点から、前記第２のチューナ手段の出力する音声信号の特徴を検出する第２の特徴検出手段と、を備えることを特徴とする受信機。
【請求項２】
前記第１の特徴検出手段は、前記第１の無音化状態検出手段が無音化状態を検出し終えた時点から所定の期間において、前記第１のチューナ手段の出力する音声信号の特徴を検出し、
前記第２の特徴検出手段は、前記第２の無音化状態検出手段が無音化状態を検出し終えた時点から前記期間と等しい期間において、前記第２のチューナ手段の出力する音声信号の特徴を検出することを特徴とする請求項１に記載の受信機。
【請求項３】
前記第１の特徴検出手段は、前記第１のチューナ手段の出力する音声信号を複数の信号成分に周波数分割し、当該周波数分割した各信号成分を前記第１のチューナ手段の出力する音声信号の特徴として検出し、
前記第２の特徴検出手段は、前記第２のチューナ手段の出力する音声信号を複数の信号成分に周波数分割し、当該周波数分割した各信号成分を前記第２のチューナ手段の出力する音声信号の特徴として検出することを特徴とする請求項１又は２に記載の受信機。
【請求項４】
前記第１の特徴検出手段が検出する音声信号の特徴と前記第２の特徴検出手段が検出する音声信号の特徴との同一性を判断し、同一性があると判断すると前記第１，第２のチューナ手段が受信中の放送番組が同一であると識別する識別手段を有することを特徴とする請求項１〜３の何れか１項に記載の受信機。
【請求項５】
前記第１，第２のチューナ手段の何れか一方を主チューナ手段として受信させ、受信感度が低下すると、他方のチューナ手段の受信チャンネルを可変制御して前記第１，第２のチューナ手段を同時に受信させる制御手段を備えることを特徴とする請求項１〜４の何れか１項に記載の受信機。
【請求項６】
異なる放送電波によって送られてくる放送番組の同一性を識別する受信機であって、
前記放送電波を受信し、少なくとも検波信号と音声信号を出力する第１のチューナ手段及び第２のチューナ手段と、
前記第１のチューナ手段から出力される検波信号の無音化状態を検出する第１の無音化状態検出手段と、
前記第２のチューナ手段から出力される検波信号の無音化状態を検出する第２の無音化状態検出手段と、
前記第１の無音化状態検出手段が無音化状態を検出し終えた時点から、前記第１のチューナ手段の出力する音声信号の特徴を検出する第１の特徴検出手段と、
前記第２の無音化状態検出手段が無音化状態を検出し終えた時点から、前記第２のチューナ手段の出力する音声信号の特徴を検出する第２の特徴検出手段と、
前記第１の特徴検出手段が検出する音声信号の特徴と前記第２の特徴検出手段が検出する音声信号の特徴との同一性を判断し、同一性があると判断すると前記第１，第２のチューナ手段が受信中の放送番組を同一であると識別する識別手段と、
前記第１，第２のチューナ手段の何れか一方を主チューナ手段として受信させ、受信感度が低下すると、他方のチューナ手段の受信チャンネルを可変制御して前記第１，第２のチューナ手段を同時に受信させ、前記識別手段が前記放送番組を同一であると識別すると前記他方のチューナ手段を主チューナ手段に切り替える制御手段と、を備えることを特徴とする受信機。
【請求項７】
前記制御手段は、前記他方のチューナ手段を主チューナ手段に切り替えるのに代えて、
前記識別手段が前記放送番組を同一であると識別すると、前記主チューナ手段を前記他方のチューナ手段の受信チャンネルと同じ受信チャンネルに設定することを特徴とする請求項６に記載の受信機。
【発明の詳細な説明】
【技術分野】
【０００１】
本発明は、ラジオ放送を受信する受信機に関し、特に、異なる放送電波によって送られてくる放送番組の同一性を識別する機能を有する受信機に関する。
【背景技術】
【０００２】
ラジオ放送局が放送番組を配信する際、一カ所の放送アンテナから放送電波を送信したのでは受信エリアに限りを生じるため、複数の地域に敷設された各放送アンテナから、同一の放送番組を異なる搬送周波数で変調した放送電波として送信することにより、受信エリアの拡大化が図られている。
【０００３】
一方、拡大化が図られた受信エリア内を移動する車載型受信機等の受信機にあっては、例えば重なり合った受信エリア内を移動中に品質の良い放送電波が受信できなくなった場合、同一の放送番組を有する品質の良い放送電波を自動的にサーチし、より良好な受信感度の下で同一の放送番組を継続して受信する機能が設けられている（例えば、特開平５−２１８９３５号公報）。
【０００４】
特開平５−２１８９３５号公報に記載されている受信機（受信装置）は、受信中の放送電波（伝送信号）の電界強度を測定し、その測定結果に基づいて受信中の伝送信号の品質を監視している。
【０００５】
そして、受信中の伝送信号の品質が低下した場合にそれよりも品質の良好な他の伝送信号を受信すると、両者の伝送信号を検波して、両検波信号（受信信号）のエンベロープを同時点で比較し、放送番組の同一性が確認されると品質の良好な他の伝送信号への受信切替えを行って、同一の放送番組を継続して受信する。
【０００６】
また、上述の伝送信号の品質を監視中に、受信中の伝送信号の無音化状態が検出されると、他の伝送信号について受信中の伝送信号と同様の無音化状態にあるかを調べ、同様の無音化状態であった場合に放送番組の同一性が確認できたと判断して、当該他の伝送信号への受信切替えを行うことで、同一の放送番組を継続して受信する。
【発明の開示】
【発明が解決しようとする課題】
【０００７】
しかしながら、一般に、受信エリア毎に敷設されている各放送アンテナから同一の放送番組が配信される際、夫々時間的なズレを持って配信されており、同一の放送番組が或る放送アンテナから先に、他の放送アンテナからはそれより時間的に遅れて配信されている。
【０００８】
このため、上記公報に記載されている従来の受信機（受信装置）で行われている、受信中の伝送信号と他の伝送信号との受信信号のエンベロープ同士を同時点で比較し、又は、受信中の伝送信号と他の伝送信号が無音化状態となっているか否かを調べても、比較すべき対象部分が互いに時間的にずれてしまうため、放送番組の同一性の識別精度を向上させることが難しいという問題がある。
【０００９】
より具体的な事例について図７を参照して説明すると、ＮＨＫ第１放送（日本放送協会）では、受信エリアＸ内に位置するＮＨＫ東京第１放送局と、受信エリアＹ内に位置するＮＨＫ御殿場第１放送局と、受信エリアＺ内に位置するＮＨＫ静岡第１放送局から、同一の放送番組を配信する場合、例えば主放送局であるＮＨＫ東京第１放送局が放送番組を所定の搬送周波数（５９４ｋＨｚ）で変調して放送アンテナＡＮＴxから配信する際、その放送番組を中継ケーブル等を介して副放送局であるＮＨＫ御殿場第１放送局とＮＨＫ静岡第１放送局へ転送し、ＮＨＫ御殿場第１放送局とＮＨＫ静岡第１放送局は、中継ケーブル等を介して時間的に遅れて入手した同一の放送番組を夫々１０２６ｋＨｚと８８２ｋＨｚの搬送周波数で変調して、各受信エリアＹ，Ｚ内の放送アンテナＡＮＴy，ＡＮＴzから配信している。
【００１０】
このように、同一の放送番組が主放送局と副放送局とでは時間的にずれて配信されるため、車載型受信装置等が自動車の移動に伴って、受信エリアＸ，Ｙ又は受信エリアＸ，Ｚとの重なった受信エリア内を移動するような場合、同一の放送番組を有する各伝送信号の受信時点がずれてしまい、上記従来の受信機によって同時点で生じる受信信号のエンベロープ同士を比較したり、同時点において無音化状態となっているか否かを調べても、比較すべき対象部分が互いに時間的にずれてしまい、放送番組の同一性の識別精度を向上させることが難しい。
【００１１】
本発明はこのような従来の課題に鑑みてなされたものであり、例えば、異なった放送電波に含まれる同一の放送番組に時間的ずれがあっても、放送番組の同一性の識別精度を向上させることが可能な受信機を提供することを目的とする。
【課題を解決するための手段】
【００１２】
請求項１に記載の発明は、異なる放送電波によって送られてくる放送番組の同一性を識別する受信機であって、前記放送電波を受信し、少なくとも検波信号と音声信号を出力する第１のチューナ手段及び第２のチューナ手段と、前記第１のチューナ手段から出力される検波信号の無音化状態を検出する第１の無音化状態検出手段と、前記第２のチューナ手段から出力される検波信号の無音化状態を検出する第２の無音化状態検出手段と、前記第１の無音化状態検出手段が無音化状態を検出し終えた時点から、前記第１のチューナ手段の出力する音声信号の特徴を検出する第１の特徴検出手段と、前記第２の無音化状態検出手段が無音化状態を検出し終えた時点から、前記第２のチューナ手段の出力する音声信号の特徴を検出する第２の特徴検出手段と、を備えることを特徴とする。
【００１３】
請求項２に記載の発明は、請求項１に記載の受信機であって、前記第１の特徴検出手段は、前記第１の無音化状態検出手段が無音化状態を検出し終えた時点から所定の期間において、前記第１のチューナ手段の出力する音声信号の特徴を検出し、前記第２の特徴検出手段は、前記第２の無音化状態検出手段が無音化状態を検出し終えた時点から前記期間と等しい期間において、前記第２のチューナ手段の出力する音声信号の特徴を検出することを特徴とする。
【００１４】
請求項３に記載の発明は、請求項１又は２に記載の受信機であって、前記第１の特徴検出手段は、前記第１のチューナ手段の出力する音声信号を複数の信号成分に周波数分割し、当該周波数分割した各信号成分を前記第１のチューナ手段の出力する音声信号の特徴として検出し、前記第２の特徴検出手段は、前記第２のチューナ手段の出力する音声信号を複数の信号成分に周波数分割し、当該周波数分割した各信号成分を前記第２のチューナ手段の出力する音声信号の特徴として検出することを特徴とする。
【００１５】
請求項４に記載の発明は、請求項１〜３の何れか１項に記載の受信機であって、前記第１の特徴検出手段が検出する音声信号の特徴と前記第２の特徴検出手段が検出する音声信号の特徴との同一性を判断し、同一性があると判断すると前記第１，第２のチューナ手段が受信中の放送番組が同一であると識別する識別手段を有することを特徴とする。
【００１６】
請求項５に記載の発明は、請求項１〜４の何れか１項に記載の受信機であって、前記第１，第２のチューナ手段の何れか一方を主チューナ手段として受信させ、受信感度が低下すると、他方のチューナ手段の受信チャンネルを可変制御して前記第１，第２のチューナ手段を同時に受信させる制御手段を備えることを特徴とする。
【００１７】
請求項６に記載の発明は、異なる放送電波によって送られてくる放送番組の同一性を識別する受信機であって、前記放送電波を受信し、少なくとも検波信号と音声信号を出力する第１のチューナ手段及び第２のチューナ手段と、前記第１のチューナ手段から出力される検波信号の無音化状態を検出する第１の無音化状態検出手段と、前記第２のチューナ手段から出力される検波信号の無音化状態を検出する第２の無音化状態検出手段と、前記第１の無音化状態検出手段が無音化状態を検出し終えた時点から、前記第１のチューナ手段の出力する音声信号の特徴を検出する第１の特徴検出手段と、前記第２の無音化状態検出手段が無音化状態を検出し終えた時点から、前記第２のチューナ手段の出力する音声信号の特徴を検出する第２の特徴検出手段と、前記第１の特徴検出手段が検出する音声信号の特徴と前記第２の特徴検出手段が検出する音声信号の特徴との同一性を判断し、同一性があると判断すると前記第１，第２のチューナ手段が受信中の放送番組を同一であると識別する識別手段と、前記第１，第２のチューナ手段の何れか一方を主チューナ手段として受信させ、受信感度が低下すると、他方のチューナ手段の受信チャンネルを可変制御して前記第１，第２のチューナ手段を同時に受信させ、前記識別手段が前記放送番組を同一であると識別すると前記他方のチューナ手段を主チューナ手段に切り替える制御手段と、を備えることを特徴とする。
【００１８】
請求項７に記載の発明は、請求項６に記載の受信機であって、前記制御手段は、前記他方のチューナ手段を主チューナ手段に切り替えるのに代えて、前記識別手段が前記放送番組を同一であると識別すると、前記主チューナ手段を前記他方のチューナ手段の受信チャンネルと同じ受信チャンネルに設定することを特徴とする。
【発明を実施するための最良の形態】
【００１９】
発明を実施するための最良の形態について図１及び図２を参照して説明する。図１は、本発明の実施の形態に係る受信機の構成を表したブロック図、図２は、放送番組の同一性を識別する際の動作を説明するための図である。
【００２０】
図１において、この受信機１は、ＦＭ放送とＡＭ放送とを受信する受信機であり、放送電波を受信する受信アンテナ１０が接続される第１の受信系統Ａと第２の受信系統Ｂとを有している。
【００２１】
第１の受信系統Ａは、第１のチューナ部２０と特徴検出部３０と無音化状態検出部４０とを備えて構成され、第２の受信系統Ｂは、第２のチューナ部５０と特徴検出部６０と無音化状態検出部７０とを備えて構成されている。
【００２２】
更に、受信機１には、放送番組の同一性を識別する識別部８０と、受信機１全体の動作を制御する制御部９０と、切替え部１００が備えられている。
【００２３】
第１のチューナ部２０は、制御部９０からのチャンネル設定信号ＣＨaによって指定される受信チャンネルの局発信号を内部発生し、受信アンテナ１０から出力される高周波信号（ＲＦ信号）ＳRFを局発信号との混合によって中間周波信号（ＩＦ信号）に変換し、その中間周波信号を検波することによって検波信号（コンポジット信号）ＳＲaを出力する。更に、中間周波信号の強度を測定し、その測定結果を放送電波の受信感度を示す受信感度信号ＳＭaとして出力すると共に、検波信号ＳＲaから可聴周波数帯域の音声信号Ｓa1を再生して出力する。
【００２４】
無音化状態検出部４０は、検波信号ＳＲaから搬送波と信号波との変調度を検出する。ここで、ＦＭ放送を受信中の場合には、搬送波の周波数偏移（Δｆc）と信号波の周波数（ｆs）との比、すなわち変調指数（Δｆc／ｆs）を変調度（δa）として検出する。ＡＭ放送を受信中の場合には、搬送波の振幅（Ａc）と信号波の振幅（Ａs）との比（Ａs／Ａc）を変調度（ｍa）として検出する。そして、ＦＭ放送を受信中に、変調度（δa）に基づいて放送電波の無音化状態が検出されると、無音化期間中であることを示す無音化状態検出信号Ｓa3を特徴検出部３０と識別部８０に供給し、ＡＭ放送を受信中に、変調度（ｍa）に基づいて放送電波の無音化状態が検出されると、無音化期間中であることを示す無音化状態検出信号Ｓa3を特徴検出部３０と識別部８０に供給する。
【００２５】
特徴検出部３０は、音声信号Ｓa1の特徴を検出し、その検出結果を特徴信号Ｓa2として出力する。
【００２６】
図２（ａ）（ｂ）を参照してより詳細に述べると、特徴検出部３０は、無音化状態検出部４０から無音化状態検出信号Ｓa3が供給されている期間Ｔa中では音声信号Ｓa1の入力を停止し、無音化状態検出信号Ｓa3の供給が終了した時点ｔasに同期して、音声信号Ｓa1の入力を開始する。そして、音声信号Ｓa1の入力を開始した時点ｔasから所定の期間τに、音声信号Ｓa1の振幅と所定の基準レベルとを逐一比較し、音声信号Ｓa1の振幅が基準レベルに対してプラス（正）からマイナス（負）極性側へと切り替わる時点と、音声信号Ｓa1の振幅が基準レベルに対してマイナス（負）からプラス（正）極性側へと切り替わる時点とを検出し、期間τ内における検出回数を計数することで計数値Ｎaを求めて、計数値Ｎaを期間τ内における音声信号Ｓa1の特徴を示す特徴信号Ｓa2として出力する。
【００２７】
なお、変形例として、音声信号Ｓa1の入力を停止することなく、連続して音声信号Ｓa1を入力していき、無音化状態検出信号Ｓa3の供給が終了した時点ｔasに同期して上述の計数動作を開始し、所定期間τに、音声信号Ｓa1の振幅が基準レベルに対してプラス（正）からマイナス（負）極性側へと切り替わる時点と、マイナス（負）からプラス（正）極性側へと切り替わる時点とを検出し、それらの検出回数を計数することで求めた計数値Ｎaを期間τ内における音声信号Ｓa1の特徴を示す特徴信号Ｓa2として出力するようにしてもよい。
【００２８】
第２のチューナ部５０は、第１のチューナ部２０と同様に、制御部９０からのチャンネル設定信号ＣＨbによって指定される受信チャンネルの局発信号を内部発生し、受信アンテナ１０から出力される高周波信号ＳRFを局発信号との混合によって中間周波信号に変換し、その中間周波信号を検波することによって検波信号（コンポジット信号）ＳＲbを出力する。更に、中間周波信号の強度を測定し、その測定結果を放送電波の受信感度を示す受信感度信号ＳＭbとして出力すると共に、検波信号ＳＲbから可聴周波数帯域の音声信号Ｓb1を再生して出力する。
【００２９】
無音化状態検出部７０は、無音化状態検出部４０と同様に、第２のチューナ部５０で検波された検波信号ＳＲbに基づいて搬送波と信号波との変調度を検出する。すなわち、ＦＭ放送を受信中の場合には変調指数を変調度（δb）として検出し、ＡＭ放送を受信中の場合には変調度（ｍb）を検出する。更に、ＦＭ放送を受信中に当該変調度（δb）に基づいて放送電波の無音化状態が検出されると、無音化期間であることを示す無音化状態検出信号Ｓb3を特徴検出部６０と識別部８０に供給し、ＡＭ放送を受信中に変調度（ｍb）に基づいて放送電波の無音化状態が検出されると、無音化期間中であることを示す無音化状態検出信号Ｓb3を特徴検出部６０と識別部８０に供給する。
【００３０】
特徴検出部６０は、特徴検出部３０と同様に、入力する音声信号Ｓb1の所定の期間τ内における特徴を検出して、特徴信号Ｓb2を出力する。
【００３１】
すなわち、図２（ｃ）（ｄ）を参照してより詳細に述べると、特徴検出部６０は、無音化状態検出部７０から無音化状態検出信号Ｓb3が供給されている期間Ｔb中では音声信号Ｓb1の入力を停止し、無音化状態検出信号Ｓb3の供給が終了した時点ｔbsに同期して、音声信号Ｓb1の入力を開始する。そして、音声信号Ｓb1の入力を開始した時点ｔbsから所定の期間τに、音声信号Ｓb1の振幅と所定の基準レベルとを逐一比較し、音声信号Ｓb1の振幅が基準レベルに対してプラス（正）からマイナス（負）極性側へと切り替わる時点と、音声信号Ｓb1の振幅が基準レベルに対してマイナス（負）からプラス（正）極性側へと切り替わる時点とを検出し、それらの切り替わる時点の検出回数を計数することで計数値Ｎbを求めて、その計数値Ｎbを期間τ内における音声信号Ｓb1の特徴を示す特徴信号Ｓb2として出力する。
【００３２】
なお、上述した特徴検出部３０の変形例と同様に、特徴検出部６０においても、音声信号Ｓb1の入力を停止することなく、連続して音声信号Ｓb1を入力していき、無音化状態検出信号Ｓb3の供給が終了した時点ｔbsに同期して上述の計数動作を開始し、所定期間τに、音声信号Ｓb1の振幅が基準レベルに対してプラス（正）からマイナス（負）極性側へと切り替わる時点と、マイナス（負）からプラス（正）極性側へと切り替わる時点とを検出し、それらの検出回数を計数することで求めた計数値Ｎbを期間τ内における音声信号Ｓb1の特徴を示す特徴信号Ｓb2として出力するようにしてもよい。
【００３３】
識別部８０は、特徴検出部３０から供給される特徴信号Ｓa2と特徴検出部６０から供給される特徴信号Ｓb2を比較し、特徴信号Ｓa2よって示された計数値Ｎaと特徴信号Ｓb2によって示された計数値Ｎbとの一致性を判断し、数値Ｎa，Ｎbが所定の誤差範囲内で一致していれば、第１のチューナ部２０が受信中の放送番組と第２のチューナ部５０が受信中の放送番組とが同一であることを示す識別信号Ｓcを制御部９０に供給し、所定の誤差範囲外のときには、同一の放送番組でないことを示す識別信号Ｓcを制御部９０に供給する。
【００３４】
例えば、識別部８０は、計数値ＮaとＮbとの差分の絶対値│Ｎa−Ｎb│が所定の誤差値αより小さい範囲内にあるか否か判断する。そして、絶対値│Ｎa−Ｎb│が誤差値αより小さいとき、すなわち、０≦│Ｎa−Ｎb│≦αのときには、第１，第２のチューナ部２０，５０の受信中の放送番組を同一であると判断し、絶対値│Ｎa−Ｎb│が誤差値αより大きいとき、すなわち、α≦│Ｎa−Ｎb│のときには、第１，第２のチューナ部２０，５０の受信中の放送番組を同一ではない判断して、夫々の判断結果を示す識別信号Ｓcを制御部９０に供給する。
【００３５】
更に、識別部８０は、音声信号Ｓa1よりも音声信号Ｓb1の方が配信遅延によって時間ΔＴだけ遅れているために、図２（ａ）（ｂ）に示した期間τの終了時点ｔaeよりも、図２（ｃ）（ｄ）に示した期間τの終了時点ｔbeの方が遅い時点のときには、終了時点ｔbeの経過後速やかに上述の識別信号Ｓcを制御部９０に供給する。また、図２（ａ）〜（ｄ）には示されていないが、音声信号Ｓb1よりも音声信号Ｓa1の方が配信遅延によって遅れているために、期間τの終了時点ｔbeよりも期間τの終了時点ｔaeの方が遅い時点のときには、終了時点ｔaeの経過後速やかに上述の識別信号Ｓcを制御部９０に供給する。
【００３６】
切替え部１００は、制御部９０からの切替え制御信号Ｓdに従って切替え動作し、第１，第２のチューナ部２０，５０から出力される検波信号ＳＲa又はＳＲbの一方を、マトリクス回路、増幅器等を有する再生部（図示略）側へ転送する。
【００３７】
制御部９０は、マイクロプロセッサ（ＭＰＵ）等を備え、予め記憶されているシステムプログラムを実行することによって、受信機１全体の動作を制御する。
【００３８】
更に、制御部９０は、第１，第２のチューナ部２０，５０に供給するチャンネル指定信号ＣＨa，ＣＨbによって、上述した受信チャンネルの局発信号の周波数を可変制御する。更に、受信感度信号ＳＭa，ＳＭbと識別信号Ｓcとを入力し、第１のチューナ部２０又は第２のチューナ部５０の一方が通常の受信を行っている際、その通常の受信を行っているチューナ部における受信感度が低下すると、第１，第２のチューナ部２０，５０の両者に受信させ、同一の放送番組を受信していることを識別信号Ｓcに基づいて確認すると、切替え部１００に転送経路を切り替えさせて、受信感度の良好なチューナ部から出力される検波信号ＳＲa又はＳＲbの一方を再生部側へ転送させることにより、同一の放送番組の継続受信を可能にする。
【００３９】
より詳細に、同一の放送番組の継続受信を可能にするための制御部９０の動作を説明する。
【００４０】
検波信号ＳＲaを切替え部１００を介して再生部側へ転送させることにより、第１のチューナ部２０を通常の受信を行う主チューナ部に設定し、第１のチューナ部２０において受信が行われている際、制御部９０が受信感度信号ＳＭaに基づいて放送電波の受信感度の低下（受信感度の悪化）を検出すると、第１のチューナ部２０に受信動作を行わせたまま、チャンネル指定信号ＣＨbによって第２のチューナ部５０をシーク（seek）制御する。つまり、第２のチューナ部５０の受信チャンネルをラジオ放送伝送帯域の全般に亘って変化させるシーク（seek）制御を行い、当該シーク制御中に受信感度の良好な他の受信チャンネル（第１のチューナ部２０に設定されている受信チャンネル以外の受信チャンネル）を受信感度信号ＳＭbに基づいて検出する。
【００４１】
そして、第２のチューナ部５０の受信チャンネルを最良の受信感度の得られた他の受信チャンネルに設定し、第１，第２のチューナ部２０，５０の両者が同一の放送番組を受信していることを識別信号Ｓcに基づいて確認すると、第２のチューナ部５０の受信チャンネルをそのまま維持させると共に、切替え部１００を切り替えさせることにより、第２のチューナ部５０から出力される検波信号ＳＲbを再生部側へ転送させる。これより、第２のチューナ部５０を通常の受信を行う主チューナ部にし、第１のチューナ部２０を通常の受信を行わないいわゆる副チューナ部に切り替える。
【００４２】
一方、第２のチューナ部５０の受信チャンネルを最良の受信感度の得られた他の受信チャンネルに設定した結果、同一の放送番組を受信していることを識別信号Ｓcに基づいて確認することができない場合には、制御部９０は、同一の放送番組を受信していることを識別信号Ｓcに基づいて確認することができるまで、第２のチューナ部５０を次に良好な受信感度の得られた他の受信チャンネルから順次に低い受信感度の得られた他の受信チャンネルへと設定していき、同一の放送番組を受信していることを識別信号Ｓcに基づいて確認すると、その確認時における受信チャンネルに第２のチューナ部５０をそのまま維持させると共に、切替え部１００を切り替えさせることにより、第２のチューナ部５０から出力される検波信号ＳＲbを再生部側へ転送させて、第２のチューナ部５０を通常の受信を行う主チューナ部、第１のチューナ部２０を通常の受信を行わない副チューナ部に切り替える。
【００４３】
また、第２のチューナ部５０の受信チャンネルを全ての他の受信チャンネルに設定したにも関わらず、同一の放送番組を受信していることを識別信号Ｓcに基づいて確認することができない場合には、制御部９０は、切替え部１００を切り替えることなく検波信号ＳＲaを継続して再生部側へ転送させることにより、第１のチューナ部２０にそのまま主チューナ部、第２のチューナ部５０にそのまま副チューナ部とする。
【００４４】
また、以上の動作説明では、第１のチューナ部２０を主チューナ部として受信を行っている際に、制御部９０が受信感度の低下を検出すると、より良好な受信感度で引き続き同一の放送番組を受信すべく第２のチューナ部５０を主チューナ部に切り替える場合を述べたが、逆に第２のチューナ部５０を主チューナ部として受信を行っている際に、制御部９０が受信感度信号ＳＭbに基づいて、受信感度の低下を検出すると、より良好な受信感度で引き続き同一の放送番組を受信すべく第１のチューナ部２０を主チューナ部、第２のチューナ部５０を副チューナ部
に切り替える。
【００４５】
例えば、上述したように主チューナ部が第１のチューナ部２０から第２のチューナ部５０に切り替わったような場合、第２のチューナ部５０で受信中の放送電波の受信感度が低下すると、制御部９０は、第１のチューナ部２０をシーク制御することで良好な受信感度の得られる他の受信チャンネルを検出する。そして、第２のチューナ部５０に受信を継続させたまま、第１のチューナ部２０を他の受信チャンネルに設定していき、同一の放送番組を受信していることを識別信号Ｓcに基づいて確認すると、切替え部１００を切り替えさせることにより、第１のチューナ部２０を主チャンネル部、第２のチューナ部５０を副チューナ部に切り替える。
【００４６】
このように、制御部９０は、より良好な受信感度の下で同一の放送番組を継続して受信するように、第１のチャンネル部２０と第２のチャンネル部５０とを交互に切り替える。
【００４７】
以上説明したように、本実施形態の受信機１によれば、次の効果が得られる。
【００４８】
図２（ａ）〜（ｄ）を参照して説明したように、特徴抽出部３０，６０は、無音化状態検出部４０，７０からの無音化状態検出信号Ｓa3，Ｓb3の供給が終了した時点ｔas，ｔbsに同期して、音声信号Ｓa1，Ｓb1の特徴を検出し始め、等しい期間τ内において、夫々の特徴を計数値Ｎa，Ｎbとして検出する。
【００４９】
このため、受信中に放送電波の受信感度が低下し、上述のシーク制御等を行って第１，第２のチューナ部２０，５０の両者から出力される放送番組の同一性を調べる際、音声信号Ｓa1，Ｓb1に含まれている同一の放送番組に時間的にずれが有るか否かに関わらず、特徴抽出部３０，６０によって、同一の放送番組の特徴を計数値Ｎa，Ｎbとして高い精度で検出することができる。
【００５０】
つまり、時間的にずれて配信されてきた同一の放送番組を第１，第２のチューナ部２０，５０のどちらが先に又はどちらが後に受信したかに関わらず、無音化状態検出部４０，７０が夫々の同一の放送番組について無音化状態を別個独立に検出して、無音化状態検出信号Ｓa3，Ｓb3によって各放送番組内の同一内容の開始時点ｔas，ｔbsを特徴抽出部３０，６０に知らせるので、特徴抽出部３０，６０は共に等しい期間τにおいて同一内容の特徴を検出することとなり、同一の放送番組の特徴を計数値Ｎa，Ｎbとして高い精度で検出することができる。
【００５１】
そして更に、識別部８０が期間τの終了時点ｔae,ｔbeのうち時間的に遅い方の時点において、計数値Ｎa，Ｎbの同一性を判断するので、放送番組の同一性を高い精度で識別することが可能である。
【００５２】
また、第１，第２のチャンネル部２０，５０の一方が主チャンネル部となって受信中に、放送電波の受信感度が低下した場合、制御部９０がその主チャンネル部を継続して受信させつつ他方のチャンネル部をシーク制御等し、同一の放送番組の受信を確認すると当該他方のチャンネル部を主チャンネル部として切り替えるので、再生部側に供給する検波信号ＳＲa，ＳＲbの切り替えをシームレスに行うことができる。このため、例えばスピーカから出力される音に切替え雑音等が混入することを防止して、ユーザに対し品質の良好な同一の放送番組を継続して提供することができる。
【００５３】
なお、以上に説明した受信機１では、第１，第２のチューナ部２０，５０を交互に切り替えることによって、良好な受信状態が得られる同一の放送番組を継続して受信するようにしているが、第１のチューナ部２０を常に主チューナ部、第２のチューナ部５０をシーク制御等を行うためのいわゆる副チューナ部に固定してもよい。すなわち、第１のチューナ部２０が通常の受信を行っている際、放送電波の受信感度が低下すると、制御部９０が第２のチューナ部５０をシーク制御等し、識別信号Ｓcに基づいて同一の放送番組の受信を確認すると、同一の放送番組を受信したときの第２のチューナ部５０の受信チャンネルと同じ受信チャンネルに、第１のチューナ部２０を設定するように構成してもよい。
【００５４】
かかる構成によると、第１のチューナ部２０から出力される検波信号ＳＲaを常に再生部側に供給することができるため、切り替え部１００を省略することができ、部品点数の低減等が可能となる。
【００５５】
なお、以上の実施形態の説明では、図２（ａ）（ｃ）に示したように、特徴検出部３０，６０が所定レベルの１つの基準レベルに対して、音声信号Ｓa1，Ｓb1の振幅がプラス（正）からマイナス（負）極性側と、マイナス（負）からプラス（正）極性側へと切り替わる時点とを検出することとしているが、１つの基準レベルの代わりに、特徴検出部３０，６０が所定のレベル幅を有する不感帯を設定しておき、音声信号Ｓa1，Ｓb1の振幅がプラス（正）からマイナス（負）極性側と、マイナス（負）からプラス（正）極性側へと切り替わる時点とを検出するようにしてもよい。かかる構成によると、特徴検出部３０，６０は、不感帯の範囲内に存在する雑音を除去することができる他、音声信号Ｓa1，Ｓb1の振幅がプラス（正）からマイナス（負）極性側へ切り替わる時点と、マイナス（負）からプラス（正）極性側へと切り替わる時点とをヒステリシスを持って検出することとなるため、これらの切り替わる時点を安定に検出することが可能となる。
【実施例】
【００５６】
次に、図１に示した受信機のより詳細な実施例を図３〜図６を参照して説明する。図３は、本実施例の受信機の構成を表したブロック図、図４は、放送番組の同一性を識別する際の動作を説明するための図、図５及び図６は、本実施例の受信機の動作を表したフローチャートである。また、図３及び図４において、図１及び図２と同一又は相当する部分を同一符号で示している。
【００５７】
図３において、この受信機１は、ＦＭ放送とＡＭ放送とを受信可能な受信機であり、放送電波を受信する受信アンテナ１０に接続される第１の受信系統Ａ及び第２の受信系統Ｂの他、識別部８０、制御部９０、切替え部１００を備えて構成されている。
【００５８】
第１の受信系統Ａには、第１のチューナ部２０と特徴検出部３０と無音化状態検出部４０とが備えられ、第２の受信系統Ｂには、第２のチューナ部５０と特徴検出部６０と無音化状態検出部７０とが備えられている。
【００５９】
第１のチューナ部２０と第２のチューナ部５０は、図１に示した受信機と同様の機能を有しており、第１のチューナ部２０は音声信号Ｓa1と検波信号（コンポジット信号）ＳＲaと受信感度信号ＳＭaを出力し、第２のチューナ部５０は音声信号Ｓb1と検波信号（コンポジット信号）ＳＲbと受信感度信号ＳＭbを出力する。
【００６０】
無音化状態検出部４０，７０も図１に示した受信機と同様の機能を有している。
【００６１】
無音化状態検出部４０は、ＦＭ放送の受信中に検波信号ＳＲaから変調指数を検出することによって、その変調指数を変調度（δa）とし、ＡＭ放送の受信中に検波信号ＳＲaから変調度（ｍa）を検出する。そして、変調度（δa）又は変調度（ｍa）に基づいて放送電波の無音化状態が検出されると、無音化期間であることを示す無音化状態検出信号Ｓa3を後述のカウンタ３０ｃ，３０ｆと識別部８０に供給する。
【００６２】
また、無音化状態検出部７０は、ＦＭ放送の受信中に検波信号ＳＲbから変調指数を検出することによって、その変調指数を変調度（δb）とし、ＡＭ放送の受信中に検波信号ＳＲbから変調度（ｍb）を検出する。そして、変調度（δb）又は変調度（ｍb）に基づいて放送電波の無音化状態が検出されると、無音化期間であることを示す無音化状態検出信号Ｓb3を後述のカウンタ６０ｃ，６０ｆと識別部８０に供給する。
【００６３】
特徴検出部３０は、バンドパスフィルタ３０ａとゼロクロス検出回路３０ｂとカウンタ３０ｃとを備えて構成された信号処理系統と、バンドパスフィルタ３０ｄとゼロクロス検出回路３０ｅとカウンタ３０ｆとを備えて構成された信号処理系統とを有している。
【００６４】
特徴検出部６０は、バンドパスフィルタ６０ａとゼロクロス検出回路６０ｂとカウンタ６０ｃとを備えて構成された信号処理系統と、バンドパスフィルタ６０ｄとゼロクロス検出回路６０ｅとカウンタ６０ｆとを備えて構成された信号処理系統とを有している。
【００６５】
バンドパスフィルタ３０ａ，６０ａは、５０Ｈｚから５００Ｈｚの通過周波数帯域を有し、バンドパスフィルタ３０ｄ，６０ｄは、５０Ｈｚから２ｋＨｚの通過周波数帯域を有している。そして、バンドパスフィルタ３０ａ，３０ｄは、音声信号Ｓa1を入力し、夫々の通過周波数帯域内の信号成分Ｓa11，Ｓa12を通過させてゼロクロス検出回路３０ｂ，３０ｅへ出力し、バンドパスフィルタ６０ａ，６０ｄは、音声信号Ｓb1を入力し、夫々の通過周波数帯域内の信号成分Ｓb11，Ｓb12を通過させてゼロクロス検出回路６０ｂ，６０ｅへ出力する。
【００６６】
ここで、バンドパスフィルタ３０ａ，６０ａが５０Ｈｚから５００Ｈｚの通過周波数帯域を有することにより、音声信号Ｓa1，Ｓb1に含まれる主として男性等の低音の声の特徴を有する信号成分Ｓa11，Ｓb11を通過させ、バンドパスフィルタ３０ｄ，６０ｄは、５０Ｈｚから２ｋＨｚの通過周波数帯域を有することにより、音声信号Ｓa1，Ｓb1に含まれる主として男性と女性の声の特徴を有する信号成分Ｓa12，Ｓb12を通過させる。
【００６７】
ゼロクロス検出回路３０ｂ，３０ｅ，６０ｂ，６０ｅは、夫々入力する信号成分Ｓa11，Ｓa12，Ｓb11，Ｓb12を所定の基準レベルと比較することによってゼロクロス検出を行い、夫々のゼロクロス検出した時点を示すゼロクロス検出信号Ｓaz1，Ｓaz2，Ｓbz1，Ｓbz2をカウンタ３０ｃ，３０ｆ，６０ｃ，６０ｆへ出力する。
【００６８】
例えば図４（ａ）に示すような信号成分Ｓa11がゼロクロス検出回路３０ｂ、信号成分Ｓa12がゼロクロス検出回路３０ｅに夫々入力すると、ゼロクロス検出回路３０ｂ，３０ｅは、図４（ｂ）に例示するように、信号成分Ｓa11，Ｓa12の振幅が所定の基準レベルに対してマイナス（負）からプラス（正）極性側に切り替わるゼロクロスポイントにおいて論理“Ｈ”に反転し、基準レベルに対してプラス（正）からマイナス（負）極性側に切り替わるゼロクロスポイントにおいて論理“Ｌ”に反転する矩形波状のゼロクロス検出信号Ｓaz1，Ｓaz2を出力する。
【００６９】
ゼロクロス検出回路６０ｂ，６０ｅも同様に、例えば図４（ｅ）に示すような信号成分Ｓb11，Ｓb12が夫々入力すると、図４（ｆ）に例示するように、信号成分Ｓb11，Ｓb12の振幅が所定の基準レベルに対してマイナス（負）からプラス（正）極性側に切り替わるゼロクロスポイントにおいて論理“Ｈ”に反転し、基準レベルに対してプラス（正）からマイナス（負）極性側に切り替わるゼロクロスポイントにおいて論理“Ｌ”に反転する矩形波状のゼロクロス検出信号Ｓbz1，Ｓbz2を出力する。
【００７０】
カウンタ３０ｃ，３０ｆは、リセッタブルカウンタで形成されており、無音化状態検出部４０から無音化状態検出信号Ｓa3が供給されている間では計数動作を停止し、無音化状態検出信号Ｓa3の供給が終了した時点ｔasに同期して計数動作を開始する。そして、時点ｔasから所定の期間τ（本実施例では、１０msec）に、ゼロクロス検出信号Ｓaz1，Ｓaz2によって示される夫々のゼロクロスポイントの発生回数を計数し、夫々の計数結果（計数値）Ｎa1，Ｎa2を期間τにおける信号成分Ｓa11，Ｓa12の特徴を示す特徴信号Ｓa21，Ｓa22として識別部８０に供給する。
【００７１】
すなわち、カウンタ３０ｃ，３０ｆは、図４（ｃ）に例示するような無音化状態検出信号Ｓa3が供給されている期間Ｔaでは計数動作を停止し、無音化状態検出信号Ｓa3の供給が終了した時点ｔasに同期して計数動作を開始する。そして、時点ｔasから期間τの間に、図４（ｂ）に例示したゼロクロス検出信号Ｓaz1，Ｓaz2の論理が“Ｌ”から“Ｈ”に反転する際の立ち上がりエッジと、論理が“Ｈ”から“Ｌ”に反転する際の立ち下がりエッジを計数することで、計数値Ｎa1，Ｎa2を求め、各計数値Ｎa1，Ｎa2を信号成分Ｓa11，Ｓa12の特徴を示す特徴信号Ｓa21，Ｓa22として識別部８０に供給する。
【００７２】
カウンタ６０ｃ，６０ｆもリセッタブルカウンタで形成されており、無音化状態検出部７０から無音化状態検出信号Ｓb3が供給されている間では計数動作を停止し、無音化状態検出信号Ｓb3の供給が終了した時点ｔbsに同期して計数動作を開始して、時点ｔbsから所定の期間τに、ゼロクロス検出信号Ｓbz1，Ｓbz2によって示される夫々のゼロクロスポイントの発生回数を計数し、夫々の計数結果（計数値）Ｎb1，Ｎb2を期間τにおける信号成分Ｓb11，Ｓb12の特徴を示す特徴信号Ｓb21，Ｓb22として識別部８０に供給する。
【００７３】
すなわち、カウンタ６０ｃ，６０ｆは、図４（ｇ）に例示するような無音化状態検出信号Ｓb3が供給されている期間Ｔbでは、計数動作を停止し、無音化状態検出信号Ｓb3の供給が終了した時点ｔbsに同期して計数動作を開始する。そして、時点ｔbsから期間τの間に、図４（ｆ）に例示したゼロクロス検出信号Ｓbz1，Ｓbz2の論理が“Ｌ”から“Ｈ”に反転する際の立ち上がりエッジと、論理が“Ｈ”から“Ｌ”に反転する際の立ち下がりエッジを計数することで、計数値Ｎb1，Ｎb2を求め、各計数値Ｎb1，Ｎb2を信号成分Ｓb11，Ｓb12の特徴を示す特徴信号Ｓb21，Ｓb22として識別部８０に供給する。
【００７４】
識別部８０は、期間τの終了時点ｔae,ｔbeのうち時間的に遅い方の時点において、計数値Ｎa1，Ｎb1，Ｎa2，Ｎb2に基づいて、放送番組の同一性を識別する。
【００７５】
すなわち、カウンタ３０ｃ，６０ｃからの特徴信号Ｓa21，Ｓb21によって示される計数値Ｎa1，Ｎb1の差分の絶対値│Ｎa1−Ｎb1│と、カウンタ３０ｆ，６０ｆからの特徴信号Ｓa22，Ｓb22によって示される計数値Ｎa2，Ｎb2の差分の絶対値│Ｎa2−Ｎb2│を演算する。そして、差分の絶対値│Ｎa1−Ｎb1│が所定の誤差値α1より小さく（すなわち、０≦│Ｎa1−Ｎb1│≦α1）、且つ、差分の絶対値│Ｎa2−Ｎb2│が所定の誤差値α2より小さいとき（すなわち、０≦│Ｎa2−Ｎb2│≦α2）、第１，第２のチューナ部２０，５０の受信中の放送番組を同一であると識別し、その識別結果を示す識別信号Ｓcを制御部９０に供給する。
【００７６】
一方、差分の絶対値│Ｎa1−Ｎb1│が所定の誤差値α1より大きいとき（すなわち、α1≦│Ｎa1−Ｎb1│）、または、差分の絶対値│Ｎa2−Ｎb2│が所定の誤差値α2より大きいとき（すなわち、α2≦│Ｎa2−Ｎb2│）となった場合には、識別部８０は、第１，第２のチューナ部２０，５０の受信中の放送番組が同一ではないと識別し、その識別結果を示す識別信号Ｓcを制御部９０に供給する。
【００７７】
ここで、誤差値α1，α2は、実験等によって上述の差分の絶対値│Ｎa1−Ｎb1│と│Ｎa2−Ｎb2│とを様々に変化させ、放送番組の同一性を高精度で識別することが可能な値として予め決められている。
【００７８】
制御部９０は、図１に示した受信機と同様に、マイクロプロセッサ（ＭＰＵ）等を備えて構成され、予め記憶されているシステムプログラムを実行することによって、受信機１全体の動作を制御する。更に、第１，第２のチューナ部２０，５０に供給するチャンネル指定信号ＣＨa，ＣＨbによって、受信チャンネルの局発信号の周波数を可変制御する。更に、受信感度信号ＳＭa，ＳＭbと識別信号Ｓcとを入力し、第１のチューナ部２０又は第２のチューナ部５０の一方が通常の受信を行っている際、その通常の受信を行っているチューナ部における受信感度が低下すると、第１，第２のチューナ部２０，５０の両者に受信させ、同一の放送番組を受信していることを識別信号Ｓcに基づいて確認すると、切替え部１００に転送経路を切り替えさせて、受信感度の良好なチューナ部から出力される検波信号ＳＲa又はＳＲbの一方を、マトリクス回路、増幅器等を有する再生部（図示略）側へ転送させることにより、同一の放送番組の継続受信を行う。
【００７９】
切替え部１００は、制御部９０からの切替え制御信号Ｓdに従って切替え動作し、第１，第２のチューナ部２０，５０から出力される検波信号ＳＲa又はＳＲbの一方を上述の再生部側へ転送する。
【００８０】
次に、かかる構成を有する受信機１の動作を図５及び図６のフローチャートを参照して説明する。
【００８１】
まず、電源がオンとなると、図３に示した受信機１の各構成要素が動作を開始し、第１，第２のチューナ部２０，５０の何れか一方にいわゆるメモリ設定されている受信チャンネルの放送電波を受信し始める。
【００８２】
そして、上述の受信を開始した後、図５中のステップＳＴ１において、図示しない操作部を介してユーザーから所望の放送局の受信チャンネルが指定されると、制御部９０が、指定された受信チャンネルの情報を有するチャンネル指定信号ＣＨaを第１のチューナ部２０に供給し、指定された受信チャンネルに設定させる。更に、切替え信号Ｓdを切替え部１００に供給することにより、第１のチューナ部２０から出力される検波信号ＳＲaを上述の再生部側へ転送させるように切り替えさせる。
【００８３】
つまり、ユーザーから受信チャンネルの指定がなされると、制御部９０は、切替え部１００を介して検波信号ＳＲaを再生部側へ転送させることで、第１のチューナ部２０を通常の受信を行うための主チューナ部、第２のチューナ部５０を通常の受信には関与しない副チューナ部に設定する。そして、第１のチューナ部２０から出力される受信感度信号ＳＭaの監視を開始する。
【００８４】
次に、ステップＳＴ２において、制御部９０は、受信感度信号ＳＭaが所定レベルより低下（悪化）したか否か調べ、低下していなければ良好な受信感度が得られていると判断してステップＳＴ２の処理を継続し、低下しているとステップＳＴ３へ移行する。
【００８５】
ステップＳＴ３では、第１のチューナ部２０に受信動作を行わせたまま、制御部９０がチャンネル指定信号ＣＨbによって第２のチューナ部５０をシーク（seek）制御し、当該シーク制御中に受信感度の良好な他の受信チャンネル（第１のチューナ部２０が受信中のチャンネル以外の受信チャンネル）を検出する。
【００８６】
次に、ステップＳＴ４において、制御部９０が第２のチューナ部５０を最良の受信感度の得られた他の受信チャンネルに設定し、次にステップＳＴ５において、第１，第２のチューナ部２０，５０の受信中の放送番組が同一か否か識別信号Ｓcに基づいて確認する。そして、確認の結果、同一の放送番組でない場合には、ステップＳＴ６へ移行して、他の受信チャンネルがまだ残っているか確認し、残っていればステップＳＴ７において、第２のチューナ部５０を次に良好な受信感度の得られた他の受信チャンネルに設定した後、ステップＳＴ５からの処理を繰り返す。
【００８７】
そして、制御部９０が放送番組の同一性を確認できるまで、ステップＳＴ５〜ＳＴ７の処理を繰り返し、更に、第２のチューナ部５０を全ての他の受信チャンネルに設定しても、同一の放送番組を受信していると確認できない場合、ステップＳＴ６からステップＳＴ８に移行して、第１のチューナ部２０をそのまま主チューナ部、第２のチューナ部５０をそのまま副チューナ部に設定して、ステップＳＴ２からの処理を繰り返す。
【００８８】
上述のステップＳＴ５において、制御部９０が識別信号Ｓcによって放送番組の同一性を確認すると、ステップＳＴ９へ移行して、第２のチューナ部５０をそのまま他の受信チャンネルに設定し、更に、切り替え信号Ｓdによって切替え部１００を切り替えさせることにより、第１のチューナ部２０を副チューナ部、第２のチューナ部５０を主チューナ部に切り替える。
【００８９】
次に、制御部９０は、図６に示すステップＳＴ10に移行して、第２のチューナ部５０から出力される受信感度信号ＳＭbの監視を開始し、ステップＳＴ２〜ＳＴ９と同様のステップＳＴ11〜ＳＴ18の処理を行う。
【００９０】
すなわち、制御部９０は、ステップＳＴ10において受信感度信号ＳＭbの監視を開始した後、ステップＳＴ11において、受信感度信号ＳＭbが所定レベルより低下（悪化）したか否か調べ、低下していなければ良好な受信感度が得られていると判断してステップＳＴ11の処理を継続し、低下しているとステップＳＴ12へ移行する。
【００９１】
ステップＳＴ12では、第２のチューナ部５０に受信動作を行わせたまま、制御部９０がチャンネル指定信号ＣＨaによって第１のチューナ部２０をシーク（seek）制御し、当該シーク制御中に受信感度の良好な他の受信チャンネル（第２のチューナ部５０が受信中のチャンネル以外の受信チャンネル）を検出する。
【００９２】
次に、ステップＳＴ13において、制御部９０が第１のチューナ部２０を最良の受信感度の得られた他の受信チャンネルに設定し、次にステップＳＴ14において、第１，第２のチューナ部２０，５０の受信中の放送番組が同一か否か識別信号Ｓcに基づいて確認する。そして、確認の結果、同一の放送番組でない場合には、ステップＳＴ15へ移行して、他の受信チャンネルがまだ残っているか確認し、残っていればステップＳＴ16において、第１のチューナ部２０を次に良好な受信感度の得られた他の受信チャンネルに設定した後、ステップＳＴ14からの処理を繰り返す。
【００９３】
そして、制御部９０が放送番組の同一性を確認できるまで、ステップＳＴ14〜ＳＴ16の処理を繰り返し、第１のチューナ部２０を全ての他の受信チャンネルに設定しても、同一の放送番組を受信していると確認できない場合に、ステップＳＴ15からステップＳＴ17に移行して、第２のチューナ部５０をそのまま主チューナ部、第１のチューナ部２０をそのまま副チューナ部に設定して、ステップＳＴ11からの処理を繰り返す。
【００９４】
上述のステップＳＴ14において、制御部９０が識別信号Ｓcによって放送番組の同一性を確認すると、ステップＳＴ18へ移行し、第１のチューナ部２０をそのまま他の受信チャンネルに設定し、更に、切り替え信号Ｓdによって切替え部１００を切り替えさせることにより、第２のチューナ部５０を副チューナ部、第１のチューナ部２０を主チューナ部に切り替える。
【００９５】
そして、図５に示したステップＳＴ２に移行し、以下同様の処理を繰り返す。
【００９６】
以上説明したように、本実施例の受信機１によれば、次のような効果が得られる。
【００９７】
図４（ａ）〜（ｇ）を参照して説明したように、特徴抽出部３０内のカウンタ３０ｃ，３０ｆは、無音化状態検出部４０からの無音化状態検出信号Ｓa3の供給が終了した時点ｔasに同期して、ゼロクロス検出回路３０ｂ，３０ｅから出力されるゼロクロス検出信号Ｓaz1，Ｓaz2を計数し始め、期間τ内において、ゼロクロス検出信号Ｓaz1，Ｓaz2の夫々の特徴を計数値Ｎa1，Ｎa2として検出する。更に、特徴抽出部６０内のカウンタ６０ｃ，６０ｆは、無音化状態検出部７０からの無音化状態検出信号Ｓb3の供給が終了した時点ｔbsに同期して、ゼロクロス検出回路６０ｂ，６０ｅから出力されるゼロクロス検出信号Ｓbz1，Ｓbz2を計数し始め、期間τ内において、ゼロクロス検出信号Ｓbz1，Ｓbz2の夫々の特徴を計数値Ｎb1，Ｎb2として検出する。
【００９８】
このため、受信中に放送電波の受信感度が低下し、上述のシーク制御等を行って第１，第２のチューナ部２０，５０の両者から出力される放送番組の同一性を調べる際、音声信号Ｓa1，Ｓb1に含まれている同一の放送番組に時間的にずれが有るか否かに関わらず、同一の放送番組の特徴を計数値Ｎa1，Ｎa2，Ｎb1，Ｎb2として高い精度で検出することができる。
【００９９】
つまり、時間的にずれて配信されてきた同一の放送番組を第１，第２のチューナ部２０，５０のどちらが先に又はどちらが後に受信したかに関わらず、無音化状態検出部４０，７０が夫々の同一の放送番組について無音化状態を別個独立に検出して、無音化状態検出信号Ｓa3によって各放送番組内の同一内容の開始時点ｔasをカウンタカウンタ３０ｃ，３０ｆに、無音化状態検出信号Ｓb3によって各放送番組内の同一内容の開始時点ｔbsをカウンタ６０ｃ，６０ｆに夫々知らせるので、カウンタ３０ｃ，３０ｆ，６０ｃ，６０ｆは共に等しい期間τにおいて同一内容の特徴を検出することとなり、同一の放送番組の特徴を計数値Ｎa1，Ｎa2，Ｎb1，Ｎb2として高い精度で検出することができる。
【０１００】
そして更に、識別部８０が期間τの終了時点ｔae,ｔbeのうち時間的に遅い方の時点において、計数値Ｎa，Ｎbの同一性を判断するので、放送番組の同一性を高い精度で識別することが可能である。
【０１０１】
また、５０Ｈｚ〜５００Ｈｚの通過周波数帯域を有するバンドパスフィルタ３０ａ，６０ａと、５０Ｈｚ〜２ｋＨｚの通過周波数帯域を有するバンドパスフィルタ３０ｄ，６０ｄとを備え、周波数分割した４つの信号成分Ｓa11，Ｓa12，Ｓb11，Ｓb12についての特徴信号Ｓa21，Ｓa22，Ｓb21，Ｓb22に基づいて識別部８０が放送番組の同一性を識別する。このため、多くの情報量を利用して放送番組の同一性を識別しており、放送番組の同一性の識別精度を向上させることが可能である。また、放送番組中の人間の声の特徴を識別対象とすることで、放送番組内の背景音等による悪影響を低減することができ、放送番組の同一性の識別精度を向上させることが可能である。
【０１０２】
なお、以上に説明した本実施例の受信機１では、第１，第２のチューナ部２０，５０を交互に切り替えることによって、良好な受信状態が得られる同一の放送番組を継続して受信するようにしているが、第１のチューナ部２０を常に主チューナ部、第２のチューナ部５０をシーク制御等を行うためのいわゆる副チューナ部に固定してもよい。
【０１０３】
すなわち、図５中のステップＳＴ９において、第１，第２のチューナ部２０，５０の副チューナ部と主チューナ部への切替を行わず、第２のチューナ部５０が第１のチューナ部２０と同一の放送番組を受信した時の他の受信チャンネルを、第１のチューナ部２０に設定してステップＳＴ２からの処理を繰り返すようにしてもよい。
【０１０４】
かかる構成によると、第１のチューナ部２０から出力される検波信号ＳＲaを常に再生部側に供給することができるため、切り替え部１００を省略することができ、部品点数の低減等が可能となる。また、制御部９０は図６のフローチャートに示した動作を行う必要がなくなるので、制御部９０に備えられているマイクロプロセッサの負荷を軽減することができる。
【０１０５】
また、図４（ａ）（ｂ）（ｅ）（ｆ）に示したように、ゼロクロス検出回路３０ｂ，３０ｅ，６０ｂ，６０ｅが、所定レベルの１つの基準レベルと音声信号Ｓa11，Ｓa12，Ｓb11，Ｓb12の振幅とを比較することによって、ゼロクロスポイントを検出しているが、所定のレベル幅の不感帯を有する基準レベルと音声信号Ｓa11，Ｓa12，Ｓb11，Ｓb12の振幅とを比較することによって、ゼロクロスポイントを検出するようにしてもよい。かかる構成によると、ヒステリシスを持ってゼロクロスポイントの検出を行うこととなるため、ゼロクロスポイントを安定に検出することが可能となる。
【０１０６】
また、識別部８０が特徴信号Ｓa21，Ｓa22，Ｓb21，Ｓb22に基づいて放送番組の同一性を識別する際、特徴信号Ｓa21，Ｓa22，Ｓb21，Ｓb22を統計演算し、該演算結果に基づいて放送番組の同一性を識別するようにしてもよい。
【図面の簡単な説明】
【０１０７】
【図１】実施の形態に係る受信機の構成を表したブロック図である。
【図２】図１に示す受信機において行われる放送番組の同一性を識別する際の動作を説明するための図である。
【図３】実施例に係る受信機の構成を表したブロック図である。
【図４】図３に示す受信機において行われる放送番組の同一性を識別する際の動作を説明するための図である。
【図５】図３に示す受信機の動作を説明するためのフローチャートである。
【図６】更に図３に示す受信機の動作を説明するためのフローチャートである。
【図７】従来技術の問題点を説明するための図である。
【符号の説明】
【０１０８】
１…受信機
２０…第１のチューナ部
３０…特徴検出部
４０…無音化状態検出部
５０…第２のチューナ部
６０…特徴検出部
７０…無音化状態検出部
８０…識別部
９０…制御部
【図１】
2005184204.tif 000003
【図２】
2005184204.tif 000004
【図３】
2005184204.tif 000005
【図４】
2005184204.tif 000006
【図５】
2005184204.tif 000007
【図６】
2005184204.tif 000008
【図７】
2005184204.tif 000009